(57)【要約】【課題】製品を包装材から露出させることなく、付属品を出し入れすることを容易とした透明ケースと箱の包装形態を提供すること。【解決手段】箱の上に透明ケースを配置する包装形態において、透明ケースを押さえる押え片と箱は一体であり、押え片には透明ケースが露出する穴があいており、押え片に設けた差し込み片を差し込み穴に差し込むことで箱の上に透明ケースを固定し、箱の側面に箱の開閉フタを設けたことを特徴とする。【選択図】図１
2017095139.tif 000002
【特許請求の範囲】
【請求項１】
箱の上に透明ケースを配置する包装形態において、
透明ケースを押さえる押え片と箱は一体であり、
押え片には透明ケースが露出する穴があいており、
押え片に設けた差し込み片を差し込み穴に差し込むことで
箱の上に透明ケースを固定し、
箱の側面に箱の開閉フタを設けたことを特徴とする包装形態。
【請求項２】
箱の上に透明ケースを配置する包装形態において、
押え片１、押え片２は箱と一体であり、
押え片１と押え片２には、透明ケースが露出する穴が設けられており、
押え片１と押え片２には差し込み片が設けられており、
透明ケースには差し込み穴が設けられており、
差し込み片は、差し込み穴に差し込むことで、
箱の上に透明ケースを固定し、
箱の側面に箱の開閉フタを設けたことを特徴とする包装形態。
【請求項３】
箱の上に透明ケースを配置する包装形態において、
押え片１、押え片２および押え片３は箱と一体であり、
押え片１と押え片２には、透明ケースが露出する穴が設けられており、
押え片３には、製品が突出する穴があいており、
押え片３は製品を押さえるとともに、
押え片３の穴の形状と透明ケースの形状により、
箱に対する透明ケースの位置決めをおこない、
押え片１と押え片２には差し込み片が設けられており、
透明ケースには差し込み穴が設けられており、
差し込み片は、差し込み穴  に差し込まれることで、
箱の上に透明ケースを固定し、
箱の側面に箱の開閉フタを設けたことを特徴とする包装形態。
【請求項４】
箱の上に透明ケースを配置する包装形態において、
押え片１、押え片２は箱と一体であり、
押え片１と押え片２には、製品と透明ケースが露出する穴が設けられており、
押え片１は製品を押さえるとともに、
押え片１の穴の形状と透明ケースの形状により、透明ケースの位置決めをおこない、
押え片２は、押え片１を上から押えるとともに透明ケースを押さえ、
押え片２に設けた差し込み片を箱に設けた差し込み穴に差し込み、
箱側面からの係止片で係止することで、
箱の上に透明ケースを固定し、
箱の側面に箱の開閉フタを設けたことを特徴とする包装形態。
【発明の詳細な説明】
【技術分野】
【０００１】
本発明は、被梱包物を梱包する技術に関し、特に透明ケースを用いたディスプレイ包装での透明ケースと箱の固定方法に関する。
【背景技術】
【０００２】
従来、陳列時に被梱包物である製品が外から見えるように、透明ケースを包装材に用いた包装形態があった。
【０００３】
特許文献１には、一方の透明ケースにカメラを収納する凹部および付属品を収納する凹部を別々に設け、他方の透明ケースを重ね合わせて、展示陳列可能にした包装形態が開示されている。
【０００４】
特許文献２には、付属品を収容する第１収容凹部を有する第１透明ケースと、製品本体を収容する第２収容凹部を有するとともに第１透明ケースを上から覆う第２透明ケースと、第２透明ケースを上から覆う第３透明ケースと、を有する包装形態が開示されている。
【先行技術文献】
【特許文献】
【０００５】
【特許文献１】特開２００１−８０６９０号公報
【特許文献２】特開２０１０−８３５２３号公報
【発明の概要】
【発明が解決しようとする課題】
【０００６】
しかしながら、上述の特許文献に開示された従来技術では、透明カバーを容着で固定したり、テープで固定したり、あるいはホチキスで固定していた。一方において、箱に同梱する付属品は、仕様変更による付属品の入れ替えや、販売地域に対応した付属品の入れ替えが発生する場合がある。
【０００７】
従来の包装形態においては、付属品を入れ替えるときに、容着部をはがしたり、あるいわテープやホチキスを外す作業が必要になる。かつ、付属品の出し入れのために、製品も包装体から露出することになり、作業上取扱いが不便であった。
【０００８】
そこで、本発明の目的は、製品を包装材から露出させることなく、付属品を出し入れすることを容易としたディスプレイ包装を提供することにある。
【課題を解決するための手段】
【０００９】
上記の目的を達成するために、本発明に係る包装形態は、
箱の上に透明ケースを配置する包装形態において、
透明ケースを押さえる押え片と箱は一体であり、
押え片には透明ケースが露出する穴があいており、
押え片に設けた差し込み片を差し込み穴に差し込むことで
箱の上に透明ケースを固定し、
箱の側面に箱の開閉フタを設けたことを特徴とする。
【００１０】
また、本発明に係る包装形態は、
箱の上に透明ケースを配置する包装形態において、
押え片１、押え片２は箱と一体であり、
押え片１と押え片２には、透明ケースが露出する穴が設けられており、
押え片１と押え片２には差し込み片が設けられており、
透明ケースには差し込み穴が設けられており、
差し込み片は、差し込み穴に差し込むことで、
箱の上に透明ケースを固定し、
箱の側面に箱の開閉フタを設けたことを特徴とする。
【００１１】
また、本発明に係る包装形態は、
箱の上に透明ケースを配置する包装形態において、
押え片１、押え片２および押え片３は箱と一体であり、
押え片１と押え片２には、透明ケースが露出する穴が設けられており、
押え片３には、製品が突出する穴があいており、
押え片３は製品を押さえるとともに、
押え片３の穴の形状と透明ケースの形状により、
箱に対する透明ケースの位置決めをおこない、
押え片１と押え片２には差し込み片が設けられており、
透明ケースには差し込み穴が設けられており、
差し込み片は、差し込み穴に差し込まれることで、
箱の上に透明ケースを固定し、
箱の側面に箱の開閉フタを設けたことを特徴とする。
【００１２】
また、本発明に係る包装形態は、
箱の上に透明ケースを配置する包装形態において、
押え片１、押え片２は箱と一体であり、
押え片１と押え片２には、製品と透明ケースが露出する穴が設けられており、
押え片１は製品を押さえるとともに、
押え片１の穴の形状と透明ケースの形状により、透明ケースの位置決めをおこない、
押え片２は、押え片１を上から押えるとともに透明ケースを押さえ、
押え片２に設けた差し込み片を箱に設けた差し込み穴に差し込み、
箱側面からの係止片で係止することで、
箱の上に透明ケースを固定し、
箱の側面に箱の開閉フタを設けたことを特徴とする。
【発明の効果】
【００１３】
本発明によれば、透明ケースと箱の固定をしたまま、製品を露出させることなく、箱の中身の出し入れが可能なディスプレイ包装を提供することができる。
【図面の簡単な説明】
【００１４】
【図１】本発明の実施例１の透明ケースと箱の包装形態を表す斜視図
【図２】本発明の実施例１の透明ケースと箱の包装手順を表す図
【図３】本発明の実施例１の箱の展開図
【図４】本発明の実施例２の箱の展開図
【図５】本発明の実施例２の透明ケースと箱の包装手順を表す図
【図６】本発明の実施例３の箱の展開図
【図７】本発明の実施例３の透明ケースと箱の包装手順を表す図
【図８】本発明の実施例３の透明ケースと箱の包装形態を表す斜視図
【発明を実施するための形態】
【００１５】
以下に、本発明の好ましい実施の形態を、添付の図面に基づいて詳細に説明する。
【実施例１】
【００１６】
以下、図１、図２、図３を参照して、本発明の第１の実施例による、透明ケースと箱の包装形態について説明する。
【００１７】
図１は透明ケース９と箱１の包装形態を表す斜視図で、箱１の上に透明ケース９が載っており、押え片５によって透明ケース９は箱１と結合している。箱のフタ４は箱１の側面にあり、箱の収納物（図示せず）の出し入れが可能である。
【００１８】
図３は箱１の展開図で、押え片が箱と一体でできていることを表している。天面２と底面３と、底面３と連節するフタ４と、天面２に連節する押え片５と、押え片５の先端には差し込み片６がある。天面２と底面３は側面８を介してつながっている。糊しろ部７を天面２の裏側に貼りつけることで、図２（ａ）で示す箱形状になる。押え片５には透明ケース９が露出する穴Ａがあいている。
【００１９】
図２（ａ），（ｂ），（ｃ），（ｄ）は透明ケースと箱の包装手順を説明する図である。図２（ａ）は箱１の天面２の上に透明ケース９を載せる前の状態である。図２（ｂ）は箱１の側面のフタ４を閉じた状態で、天面２の上に透明ケース９を搭載した図である。図２（ｃ）は押え片５を水平位置から上方へ持ち上げた状態で、穴Ａに透明ケース９の側面１２、透明ケースの天面１１を入れる直前の状態である。図２（ｄ）は穴Ａから透明ケース９の側面１２、天面１１を露出させて、押え片５の５ａの部分で透明ケース９の側面１２を押えて、箱１と透明ケース９の横方向の位置決めをおこない、押え片５の５ｂの部分で透明ケース９の天面１１を押え、差し込み片６を透明ケース９の天面１１に設けた挿入穴１０に挿入することで、箱１と透明ケース９の固定がおこなわれることを表している。
【００２０】
以上の包装手順により、透明ケース９を箱１の上に固定した状態でフタ４は開閉が自在なので、箱の収納物を出し入れする際には、透明ケースを取り外すことなく収納物の出し入れが可能となる包装形態とすることができる。
【実施例２】
【００２１】
以下、図４、図５を参照して、本発明の第２の実施例による、透明ケースと箱の包装形態について説明する。
【００２２】
図４は本発明の実施例２の箱の展開図である。図５（ａ），（ｂ），（ｃ），（ｄ），（ｅ）は本発明の実施例２の透明ケースと箱の包装手順を表す図である。
【００２３】
図４は箱１０１の展開図で、押え片が箱と一体でできていることを表している。天面１０２と底面１０３と、底面１０３と連節するフタ１０４と、天面１０２に連節する押え片１０５と、押え片１０５の縁部には差し込み片１０６がある。底面１０３に連なる側面１１０に連節して押え片１１１があり、押え片１１１の縁部には差し込み片１０７がある。天面１０２には、差し込み片１０７が挿入する差し込み穴１０８がある。糊しろ部１０９を側面１１０の裏側に貼りつけることで、図５（ａ）で示す箱形状になる。
【００２４】
図５（ａ）では、天面１０２の上に、製品１４、ブリスター１３、透明ケース９を載せる前の状態を表している。
【００２５】
図５（ｂ）は天面１０２の上に、製品１４、ブリスター１３を載せた状態である。ブリスター１３は透明な樹脂シートを真空成型で加工したものであり、ブリスター１３を製品１４の上にかぶせても製品を外から見ることが可能である。ブリスター１３の材質としては、透明樹脂シートＰＥＴ（ポリエチレンテレフタラート）が好適な材質の１つである。
【００２６】
図５（ｃ）では、押え片１１１はブリスター１３を介して製品１４を押さえるとともに、押え片１１１にあけた穴Ｃからブリスター１３、製品１４を突出させる。押え片１１１の縁部に設けた差し込み片１０６を挿入穴１０８に差し込むことで、押え片１１１はブリスター１３を押さえた状態を維持できる。製品１４は透明なブリスター１３を透して外側から見ることができるので、製品１４の展示は阻害されない。
【００２７】
図５（ｄ）では、押え片１１１の穴Ｃの中に透明ケース９が入ることで、箱に対する透明ケースの横方向の位置決めがおこなわれる。押え片１０５には透明ケース９が露出する穴Ｂがあいている。
【００２８】
図５（ｅ）では、穴Ｂから透明ケース９の側面１２、天面１１を露出させて、押え片１０５の１０５ａの部分で透明ケース９の側面１２を押えて、箱１と透明ケース９の横方向の位置決めをおこなう。押え片１０５の１０５ｂの部分で透明ケース９の天面１１を押え、差し込み片１０６を透明ケース９の天面１１に設けた挿入穴１０に挿入することで、箱１０１と透明ケース９の固定がおこなわれることを表している。
【００２９】
以上の包装手順により、透明ケース９を箱１０１の上に固定した状態でフタ１０４は開閉が自在なので、箱の収納物を出し入れする際には、透明ケースを取り外すことなく収納物の出し入れが可能となる包装形態とすることができる。
【実施例３】
【００３０】
以下、図６、図７、図８を参照して、本発明の第３の実施例による、透明ケースと箱の包装形態について説明する。
【００３１】
図６は本発明の実施例３の箱の展開図である。図７（ａ），（ｂ），（ｃ），（ｄ），（ｅ）は本発明の実施例３の透明ケースと箱の包装手順を表す図である。
【００３２】
図６は箱２０１の展開図で、押え片が箱と一体でできていることを表している。天面２０２と底面２０３と、底面２０３と連節するフタ２０４と、天面２０２に連節する押え片２０５と、底面２０３に連なる側面２１２に連節して押え片２０６があり、押え片２０６の縁部には差し込み片２０７がある。天面２０２には、差し込み片２０７が挿入する差し込み穴２０８があり、差し込み片２０７の根元には、差し込み片２０７が差し込み穴２０８に挿したのち、係止片２０９が挿入される挿入穴２１０がある。糊しろ部２１１を側面２１２の裏側に貼りつけることで、図７（ａ）で示す箱形状になる。
【００３３】
図７（ａ）では、天面２０２の上に、製品１４、ブリスター１３、透明ケース２１３を載せる前の状態を表している。
【００３４】
図７（ｂ）は天面２０２の上に、製品１４、ブリスター１３を載せた状態である。ブリスター１３は透明な樹脂シートを真空成型で加工したものであり、ブリスター１３を製品１４の上にかぶせても製品を外から見ることが可能である。ブリスター１３の材質としては、透明樹脂シートＰＥＴ（ポリエチレンテレフタラート）が好適な材質の１つである。
【００３５】
図７（ｃ）では、押え片２０５はブリスター１３を介して製品１４を押さえるとともに、押え片２０５にあけた穴Ｄからブリスター１３、製品１４を突出させる。製品１４は透明なブリスター１３を透して外側から見ることができるので、製品１４の展示は阻害されない。
【００３６】
図７（ｄ）では、押え片２０５の穴Ｄの中に透明ケース２１３が入ることで、箱２０１に対する透明ケース２１３の横方向の位置決めがおこなわれる。透明ケース２１３には、フランジ部２１４を設けている。押え片２０６には透明ケース２１３が露出する穴Ｅがあいている。
【００３７】
図７（ｅ）では、穴Ｅから透明ケース２１３の側面２１５、天面２１６を露出させて、押え片２０６で透明ケース２１３のフランジ部２１４を上から押える。差し込み片２０７を天面２０２に設けた挿入穴２０８に挿入するとともに、差し込み片２０７の根元に設けた挿入穴２１０に係止片２０９を差し込む。これにより、箱２０１と透明ケース２１３の固定がおこなわれることを表している。
【００３８】
図８は透明ケース２１３と箱２０１の包装形態を表す斜視図で、箱２０１の上に透明ケース２１３が載っており、押え片２０６によって透明ケース２１３は箱２０１と結合している。箱のフタ２０４は箱２０１の側面にあり、箱の収納物（図示せず）の出し入れが可能である。
【００３９】
以上の包装手順により、透明ケース２１３を箱２０１の上に固定した状態でフタ２０４は開閉が自在なので、箱の収納物を出し入れする際には、透明ケースを取り外すことなく収納物の出し入れが可能となる包装形態とすることができる。
【００４０】
以上、本発明の好ましい実施形態について説明したが、本発明はこれらの実施形態に限定されず、その要旨の範囲内で種々の変形及び変更が可能である。
【符号の説明】
【００４１】
１  箱、２  天面、３  底面、４  フタ、５  押え片、６  差し込み片、７  糊しろ、
８  側面、９  透明ケース、１０  挿入穴、１１  透明ケースの天面、
１２  透明ケースの側面、１３  ブリスター、１４  製品
【図１】
2017095139.tif 000003
【図２】
2017095139.tif 000004
【図３】
2017095139.tif 000005
【図４】
2017095139.tif 000006
【図５】
2017095139.tif 000007
【図６】
2017095139.tif 000008
【図７】
2017095139.tif 000009
【図８】
2017095139.tif 000010